(57)【要約】      （修正有）【課題】音声を記録する場合であっても、手振れ補正の際に発生する駆動音による音質の低下を低減する。【解決手段】光学系により結像される被写体像から画像信号を生成する撮像素子と、前記光学系に含まれる補正光学系を光軸に直交する方向に駆動させて、前記撮像素子に結像される被写体像の振れを補正する第１の手振れ補正手段と、前記撮像素子を光軸に直交する方向に駆動させて、前記撮像素子に結像される被写体像の振れを補正する第２の手振れ補正手段と、前記第１の手振れ補正手段により前記手振れ補正光学系を予め定めた量駆動させたときの第１の駆動音圧と前記第２の手振れ補正手段により前記撮像素子を予め定めた量駆動させたときの第２の駆動音圧を取得する音圧取得手段と、音声と共動画像を撮像する際には、前記音圧取得手段によって取得された第１の駆動音圧と前記第２の駆動音圧のうち、発する駆動音圧が低い手振れ補正手段により振れを補正する。【選択図】図３
2010288082.tif 000002
【特許請求の範囲】
【請求項１】
撮像光学系により結像される被写体像から画像信号を生成する撮像素子と、
前記撮像光学系に含まれる補正光学系を撮像光軸に直交する方向に駆動させて、前記撮像素子に結像される被写体像の振れを補正する第１の手振れ補正手段と、
前記撮像素子を撮像光軸に直交する方向に駆動させて、前記撮像素子に結像される被写体像の振れを補正する第２の手振れ補正手段と、
前記第１の手振れ補正手段により前記手振れ補正光学系を予め定めた量駆動させたときの第１の駆動音圧と前記第２の手振れ補正手段により前記撮像素子を予め定めた量駆動させたときの第２の駆動音圧を取得する音圧取得手段と、
音声と共に前記被写体像の動画像を撮像する際には、前記音圧取得手段によって取得された第１の駆動音圧と前記第２の駆動音圧のうち、発する駆動音圧が低い手振れ補正手段により前記被写体像の振れを補正するように制御する制御手段と、
を有することを特徴とする撮像装置。
【請求項２】
前記音圧取得手段は、前記撮像光学系が取り外し可能な撮像装置のときは、前記撮像光学系が装着されたときに前記第１の駆動音圧を取得することを特徴とする請求項１に記載の撮像装置。
【請求項３】
前記音圧取得手段は、前記撮像装置に電源が供給されたときに前記第１の駆動音圧を取得する請求項１に記載の撮像装置。
【請求項４】
記憶部を更に有し、
前記第２の駆動音圧は、予め前記記憶部に記憶されていることを特徴とする請求項１乃至３のうちいずれか１項に記載の撮像装置。
【請求項５】
前記制御手段は、前記補正光学系及び前記撮像素子のそれぞれを最大量駆動させたときの駆動音圧を前記第１の駆動音圧及び前記第２の駆動音圧として用いることを特徴とする請求項１乃至４のうちいずれか１項に記載の撮像装置。
【発明の詳細な説明】
【技術分野】
【０００１】
本発明は、振れ補正機能を有する撮像装置に関する。
【背景技術】
【０００２】
撮像装置の手振れ補正として、撮像光学系の一部を撮像光軸に直交する方向に駆動させるレンズ手振れ補正、撮像素子を撮像光軸に直交する方向に駆動させるボディ内手振れ補正、撮像素子からの画像信号を電気的に処理する電子的手振れ補正などがある。また、これらの複数の手振れ補正を選択的に使用することも可能である。
【０００３】
例えば、手振れ補正機能を有するカメラ本体部に、手振れ補正機能を有するレンズユニットが装着された場合に、カメラ本体部側の手振れ補正機能又はレンズユニット側の手振れ補正機能を停止する撮像装置が提案されている（特許文献１参照）。なお、特許文献１は、カメラ本体部側の手振れ補正機能とレンズユニット側の手振れ補正機能との競合を避けると共に、電力の浪費や手振れの過補正を防止することを目的としている。
【０００４】
また、近年では、撮像モードとして、静止画像を記録する静止画像モードと、音声を含めた動画像を記録する動画像モードとを有する撮像装置が製品化されている。このような撮像装置においても、撮像モードに応じて、電子的手振れ補正と光学的（又は機械的）手振れ補正のどちらか、或いは、両方を選択する技術が提案されている（特許文献２参照）。なお、特許文献２は、電力の浪費や手振れ補正の向上を目的としている。
【先行技術文献】
【特許文献】
【０００５】
【特許文献１】特許第３２１９４５１号
【特許文献２】特開２０００−０６９３５１号公報
【発明の概要】
【発明が解決しようとする課題】
【０００６】
しかしながら、従来技術では、手振れ補正の際に発生する撮像光学系の一部や撮像素子の駆動音を考慮していないため、動画像モードにおいて、かかる駆動音が音声として記録され、音質の低下を招いてしまう。
【０００７】
そこで、本発明は、このような従来技術の課題に鑑みてなされ、音声と共に動画像を記録する場合であっても、手振れ補正の際に発生する駆動音による音質の低下を低減することができる技術を提供することを例示的目的とする。
【課題を解決するための手段】
【０００８】
上記目的を達成するために、本発明の一側面としての撮像装置は、撮像光学系により結像される被写体像から画像信号を生成する撮像素子と、前記撮像光学系に含まれる補正光学系を撮像光軸に直交する方向に駆動させて、前記撮像素子に結像される被写体像の振れを補正する第１の手振れ補正手段と、前記撮像素子を撮像光軸に直交する方向に駆動させて、前記撮像素子に結像される被写体像の振れを補正する第２の手振れ補正手段と、前記第１の手振れ補正手段により前記手振れ補正光学系を予め定めた量駆動させたときの第１の駆動音圧と前記第２の手振れ補正手段により前記撮像素子を予め定めた量駆動させたときの第２の駆動音圧を取得する音圧取得手段と、音声と共に前記被写体像の動画像を撮像する際には、前記音圧取得手段によって取得された第１の駆動音圧と前記第２の駆動音圧のうち、発する駆動音圧が低い手振れ補正手段により前記被写体像の振れを補正するように制御する制御手段と、を有することを特徴とする撮像装置を提供する。
【０００９】
本発明の更なる目的又はその他の側面は、以下、添付図面を参照して説明される好ましい実施形態によって明らかにされるであろう。
【発明の効果】
【００１０】
本発明によれば、例えば、音声と共に動画像を記録する場合であっても、手振れ補正の際に発生する駆動音による音質の低下を低減する技術を提供することができる。
【図面の簡単な説明】
【００１１】
【図１】本発明の一側面としての撮像装置の構成を示す図である。
【図２】図１に示す撮像装置の各種設定を行うためのメニュー画面の一例を示す図である。
【図３】第１の実施形態における撮像装置の動作を説明するためのフローチャートである。
【図４】図３に示すＳ１００８の撮像処理を説明するためのフローチャートである。
【図５】図３に示すＳ１０２２の手振れ補正機能の選択処理を説明するためのフローチャートである。
【図６】図１に示す撮像装置において、被写体像の動画像を記録する際の音声に関する設定を行うためのメニュー画面の一例を示す図である。
【図７】第２の実施形態における撮像装置の動作を説明するためのフローチャートである。
【図８】図７に示すＳ２００８及びＳ２０１６の手振れ補正機能の選択処理を説明するためのフローチャートである。
【図９】第２の実施形態における撮像装置の別の動作を説明するためのフローチャートである。
【発明を実施するための形態】
【００１２】
以下、添付図面を参照して、本発明の好適な実施の形態について説明する。なお、各図において、同一の部材については同一の参照番号を付し、重複する説明は省略する。
【００１３】
図１を参照して、本発明の一側面としての撮像装置１を説明する。図１（ａ）は撮像装置１の外観斜視図、図１（ｂ）は撮像装置１の背面図、図１（ｃ）は撮像装置１の構成を示すブロック図である。撮像装置１は、撮像モードとして、被写体像の静止画像を記録する静止画像モードと、音声と共に被写体像の動画像を記録する動画像モードとを有し、本実施形態では、デジタルカメラとして具現化される。また、撮像装置１は、撮像した画像に対応する画像データ（画像ファイル）を、撮像装置１に接続された記録媒体３０に記録すると共に、記録媒体３０に記録された画像データに対応する画像を表示（再生）する。
【００１４】
撮像光学系１０は、本実施例においてはカメラ本体部２０に装着可能なレンズであって、例えば、フォーカスレンズ１０１や補正光学系１０２を成す手振れ補正用レンズなどの複数のレンズを含む。フォーカスレンズ１０１は、撮像光軸Ｌ１に平行な方向に駆動させて焦点を調整するためのレンズである。また、補正光学系１０２は、撮像光軸Ｌ１に直交する方向に駆動させて撮像素子２１２に結像される被写体像の振れ（所謂、手振れ）を補正するためのレンズである。
【００１５】
絞り１０３は、複数の羽根で構成され、かかる複数の羽根の重なり量の変化により複数の絞り径を形成して光量を調整する。振れ検出センサ１０４は、ジャイロセンサなどを含み、撮像装置１に加わる手振れなどによる振れを検出して振れ検出信号をレンズ制御部１０５に出力する。
【００１６】
レンズ制御部１０５は、振れ検出センサ１０４からの振れ検出信号に基づいて手振れ補正量を算出し、補正光学系１０２の駆動を制御する（即ち、手振れ補正に関する動作を制御する）。また、レンズ制御部１０５は、撮像光学系側のシステム全体を制御する機能を有する。例えば、レンズ制御部１０５は、カメラ本体部２０のシステム制御部２２３からの測距駆動信号や絞り駆動信号に基づいて、フォーカスレンズ１０１や絞り１０３の駆動を制御する。また、レンズ制御部１０５は、撮像光学系１０のＦナンバー、焦点距離、手振れ補正機能の有無などを含むレンズ情報をシステム制御部２２３に出力する。
【００１７】
手振れ補正部１０６は、補正光学系１０２を保持する保持枠やアクチュエータ（マグネット、コイル等）などを含む。手振れ補正部１０６は、レンズ制御部１０５からの駆動信号に基づいて、補正光学系１０２を撮像光軸Ｌ１に直交する方向に駆動させて、撮像素子２１２に結像される被写体像の振れを補正する。
【００１８】
スイッチ（ＳＷ）１０７は、撮像光学系１０の外周部に配置され、撮像光学系側の手振れ補正機能のＯＮ又はＯＦＦを切り替えるスイッチである。レンズマウント１０８は、カメラ本体部２０に撮像光学系１０を固定（ロック）する機能を有し、カメラ本体部２０のマウント２４１と嵌合（結合）する。インタフェース１０９は、撮像光学系１０とカメラ本体部２０とを電気的に接続するインタフェースであって、カメラ本体部２０の信号ピン２４２に接触して電気信号を伝達する。アンロックボタン１１０は、撮像光学系１０をカメラ本体部２０から取り外すときに使用され、撮像光学系１０とカメラ本体部２０とのロックを機械的に外すためのボタンである。
【００１９】
電源スイッチ２０１、モードダイヤル２０２、電子ダイヤル２０３、レリーズスイッチ２０４及び操作ボタン２０５は、ユーザが各種の動作指示を入力するための入力部を構成する。
【００２０】
電源スイッチ２０１は、例えば、カメラ本体部２０の上部に配置され、撮像装置１の電源のＯＮ又はＯＦＦを切り替えるスイッチである。モードダイヤル２０２は、例えば、カメラ本体部２０の上部に配置され、撮像状況に応じて撮像モードを変更するためのダイヤルである。なお、本実施形態では、電源スイッチ２０１とモードダイヤル２０２とは、同軸上に配置されている。電子ダイヤル２０３は、撮像に関する動作などを設定（選択）する際に回転させて使用されるダイヤルである。
【００２１】
レリーズスイッチ２０４は、第１のスイッチＳＷ１と第２のスイッチＳＷとを含む２段スイッチで構成される。第１のスイッチＳＷ１は、レリーズスイッチ２０４の操作途中（半押し）でＯＮとなり、ＡＦ（オートフォーカス）処理、ＡＥ（自動露出）処理、ＡＷＢ（オートホワイトバランス）処理等の動作開始を指示する。第２のスイッチＳＷ２は、レリーズスイッチ２０４の操作完了（全押し）でＯＮとなり、露光処理、現像処理、記録処理などを含むレリーズ処理の動作開始を指示する。
【００２２】
操作ボタン２０５は、表示部２２１の左側に配置されたＭＥＮＵボタン２０５ａ、ＩＮＦＯボタン２０５ｂ、ＪＵＭＰボタン２０５ｃ、再生ボタン２０５ｄ及び消去ボタン２０５ｅを含む。また、操作ボタン２０５は、表示部２２１の右側に配置された絞り数値／露出補正設定ボタン２０５ｆ、ドライブボタン２０５ｇ、プリントボタン２０５ｈ及び十字ボタン２０５ｉを含む。更に、操作ボタン２０５は、表示部２２１の右上に配置されたＡＥロックボタン２０５ｊ及びＡＦフレーム選択ボタン２０５ｋを含む。
【００２３】
ＭＥＮＵボタン２０５ａは、撮像や再生などの様々な機能を設定及び変更するためのボタンである。ＩＮＦＯボタン２０５ｂは、撮像装置１の設定状態の表示や再生中の画像の表示を切り替えるためのボタンである。ＪＵＭＰボタン２０５ｃは、再生中の画像をとばして表示するためのボタンである。なお、画像を再生していないときにＪＵＭＰボタン２０５ｃを押した場合には、撮像素子２１２からの画像信号を順次再生して動画像を表示部２２１に表示させるライブビューモードとなる。再生ボタン２０５ｄは、撮像した画像を表示部２２１に表示（再生）するためのボタンである。消去ボタン２０５ｅは、再生中の画像を消去するためのボタンである。
【００２４】
絞り数値／露出補正設定ボタン２０５ｆは、ユーザの好みの露出に合わせて撮像するためのボタンである。ドライブボタン２０５ｇは、単写、連写、リモコン操作を切り替えるためのボタンである。プリントボタン２０５ｈは、撮像装置１に接続されたプリンタに対して、表示中の画像の印刷を指示するためのボタンである。十字ボタン２０５ｉは、十字状に配置された４つのボタン（上ボタン、下ボタン、左ボタン、右ボタン）と、４つのボタンの中央に配置されたＳＥＴボタンとを有し、撮像に関する動作や表示部２２１の表示内容などを設定（選択）するためのボタンである。本実施形態では、上ボタン、下ボタン、左ボタン及び右ボタンのそれぞれに、ＩＳＯ感度設定ボタン、ホワイトバランス選択ボタン、測光モード選択ボタン及びＡＦモード選択ボタンの機能が割り当てられている。なお、ＩＳＯ感度設定ボタンは、撮像時の光に対する敏感度を変更するためのボタンである。ホワイトバランス選択ボタンは、色温度を調整して、被写体に含まれる色の基準となる白を光源によって設定するためのボタンである。測光モード選択ボタンは、測光方式を変更するためのボタンである。ＡＦモード選択ボタンは、被写体の状態に応じて、ＡＦの動作特性を変更するためのボタンである。また、本実施形態において、ライブビューモードでＳＥＴボタンを押した場合には、動画像の記録が開始され、再度、ＳＥＴボタンを押すと、動画像の記録を停止する。なお、撮像装置１の各種設定を行うためのメニュー画面において、上ボタン、下ボタン、左ボタン及び右ボタンのそれぞれはカーソルの上方向、下方向、左方向及び右方向への移動、ＳＥＴボタンはカーソルの項目を決定する機能を有する。
【００２５】
ＡＥロックボタン２０５ｊは、撮像時に露出を固定するためのボタンである。ＡＦフレーム選択ボタン２０５ｋは、焦点（ピント）を合わせるフレーム位置を変更するためのボタンである。
【００２６】
シャッタ２１１は、例えば、シャッタ先幕及びシャッタ後幕で構成され、シャッタ先幕を開放させる（即ち、シャッタ２１１を開状態にする）ことで、撮像光学系１０を通過した光を撮像素子２１２に導く。
【００２７】
撮像素子２１２は、ＣＣＤやＣＭＯＳ素子などの光電変換素子で構成され、カメラ本体部２０に装着されている撮像光学系１０により結像される被写体像から画像信号を生成する。
【００２８】
Ａ／Ｄ変換部２１３は、アナログ信号（アナログデータ）をデジタル信号（デジタルデータ）に変換する機能を有し、本実施形態では、撮像素子２１２から出力されたアナログ信号（画像信号）をデジタル信号に変換する。
【００２９】
タイミング発生部２１４は、メモリ制御部２１６やシステム制御部２２３に制御され、Ａ／Ｄ変換部２１３、撮像素子２１２及びＤ／Ａ変換部２１９にクロック信号や制御信号を供給する。
【００３０】
画像処理部２１５は、Ａ／Ｄ変換部２１３からのデータ、或いは、メモリ制御部２１６からのデータに対して、画素補間処理や色変換処理を施す。また、画像処理部２１５は、画像データを用いて演算処理を実行して、かかる演算結果をシステム制御部２２３に出力する。また、画像処理部２１５は、かかる演算結果に基づいて、ＴＴＬ（スルー・ザ・レンズ）方式のＡＷＢ処理も実行する。更に、画像処理部２１５は、撮像素子２１２で生成された画像信号を電気的に処理して、撮像素子２１２に結像される被写体像の振れを補正する、所謂、電子的手振れ補正を実現する（即ち、画像処理部２１５は、手振れ補正機能を有する）。なお、電子的手振れ補正に関する処理は、当業界で周知のいかなる処理をも適用することができるので、ここでは詳しい説明は省略する。
【００３１】
メモリ制御部２１６は、Ａ／Ｄ変換部２１３、タイミング発生部２１４、画像処理部２１５、画像表示メモリ２１７、画像記録メモリ２１８、Ｄ／Ａ変換部２１９及び圧縮・伸長部２２０を制御する。
【００３２】
画像表示メモリ２１７及び画像記録メモリ２１８は、画像処理部２１５及びメモリ制御部２１６を介して、或いは、メモリ制御部２１６のみを介して、Ａ／Ｄ変換部２１３から出力されるデータを記録する。なお、画像記録メモリ２１８は、画像データを記録するためのメモリであって、静止画像に対応する画像データや動画像に対応する画像データ及び音声データを記録するために必要な記録容量を備えている。また、画像記録メモリ２１８は、システム制御部２２３の作業領域としても使用することができる。
【００３３】
Ｄ／Ａ変換部２１９は、デジタル信号（デジタルデータ）をアナログ信号（アナログデータ）に変換する機能を有する。Ｄ／Ａ変換部２１９は、本実施形態では、画像記録メモリ２１８に記録されている画像表示用の画像データをアナログ信号（アナログデータ）に変換して、表示部２２１に供給する。
【００３４】
圧縮・伸長部２２０は、適応離散コサイン変換（ＡＤＣＴ）などを用いて、画像データを圧縮又は伸長する。圧縮・伸長部２２０は、画像記録メモリ２１８に記録された画像データを読み込んで圧縮処理又は伸長処理を施し、かかる圧縮処理又は伸長処理を施した画像データを画像記録メモリ２１８に記録する。
【００３５】
表示部２２１は、ＴＦＴ、ＬＣＤ、有機ＥＬ等の表示素子を含み、Ｄ／Ａ変換部２１９から供給されるアナログ信号（画像データ）に対応した画像を表示する。表示部２２１は、連続した画像を逐次表示することで、動画像を表示（再生）することができる。また、表示部２２１は、シャッタースピード値、レンズ絞り値、ＩＳＯ感度、電池残量、設定画面、時刻、日付などの撮像装置１に関する各種情報を表示する。
【００３６】
駆動部２２２は、アクチュエータなどを含み、システム制御部２２３からの駆動信号に基づいて、撮像素子２１２を撮像光軸Ｌ１に直交する方向に駆動させて、撮像素子２１２に結像される被写体像の振れを補正する。アクチュエータとしては、例えば、ステッピングモータ、ムービングマグネット、圧電素子などを使用することができる。
【００３７】
システム制御部２２３は、撮像装置１の全体（動作）を制御する。システム制御部２２３は、不揮発性メモリ２２４に格納（記録）されたプログラムを実行して、本実施形態の各処理を実現する。例えば、システム制御部２２３は、画像処理部２１５からの演算結果に基づいて、ＴＴＬ方式のＡＦ処理、ＡＥ処理及びＥＦ（フラッシュプリ発光）処理などを実行する。また、システム制御部２２３は、加速度センサなどを含む振れ検出センサ２２５から出力される振れ検出信号に基づいて手振れ補正量を算出し、駆動部２２２による撮像素子２１２の駆動を制御する（即ち、手振れ補正に関する動作を制御する）。
【００３８】
本実施形態では、補正光学系１０２を駆動させて手振れを補正する第１の手振れ補正機能（撮像光学系側手振れ補正）又は撮像素子２１２を駆動させて手振れを補正する第２の手振れ補正機能（カメラ本外部側手振れ補正）を使用することが可能である。そこで、システム制御部２２３は、補正光学系１０２を予め定めた量駆動させたときの駆動音圧と撮像素子２１２を予め定めた量駆動させたときの駆動音圧とを取得する（音圧取得）。そして、音声と共に被写体像の動画像を撮像する際には、システム制御部２２３は、駆動音圧が低い手振れ補正機能により撮像素子２１２に結像される被写体像の振れ（手振れ）を補正するように制御する。
【００３９】
不揮発性メモリ２２４は、例えば、ＥＥＰＲＯＭなどを含み、電気的に消去及び記録可能なメモリである。不揮発性メモリ２２４は、システム制御部２２３の動作用の定数やプログラム（後述する種々のフローチャートを実行するためのプログラム）などを格納する。また、不揮発性メモリ２２４は、ユーザによるカスタムファンクションの設定やメッセージ等を記憶する。また、本実施形態では、不揮発性メモリ２２４は、補正光学系１０２を予め定めた量駆動させたときの駆動音圧や撮像素子２１２を予め定めた量駆動させたときの駆動音圧を記憶する記憶部として機能する。
【００４０】
マイク２２６は、補正光学系１０２を予め定めた量駆動させたときの駆動音圧と撮像素子２１２を予め定めた量駆動させたときの駆動音圧を取得し、音声データ（音声信号）を生成する。音声制御部２２７は、アンプなどを含み、マイク２２６から出力される音声データをＡ／Ｄ変換部２１３に供給する。なお、音声制御部２２７からＡ／Ｄ変換部２１３に供給された音声データはデジタル信号に変換され、メモリ制御部２１６を介して、画像記録メモリ２１８に記録される。また、画像記録メモリ２１８に記録されている音声データは、Ｄ／Ａ変換部２１９でアナログ信号に変換され、音声制御部２２７に供給される。音声制御部２２７は、Ｄ／Ａ変換部２１９から供給されるアナログ信号に基づいて、スピーカ２２８を制御する。スピーカ２２８は、音声制御部２２７に制御され、Ｄ／Ａ変換部２１９から供給されるアナログ信号に応じた音声を出力する。
【００４１】
電源制御部２２９は、電池検出回路、ＤＣ−ＤＣコンバータ、通電するブロックを切り替えるスイッチ回路などを含み、電源部２３０における電池の装着の有無、電池の種類、電池の残容量を検出する。また、電源制御部２２９は、電源部２３０における検出結果及びシステム制御部２２３の制御に基づいてＤＣ−ＤＣコンバータを制御して、必要な電圧を必要な時間、記録媒体３０を含む撮像装置１の各部に供給する。電源部２３０は、アルカリ電池やリチウム電池などの一次電池、ＮｉＣｄ電池、ＮｉＭＨ電池やＬｉ電池などの二次電池、ＡＣアダプターなどを着脱可能に保持して、電圧を出力する。
【００４２】
インタフェース（Ｉ／Ｆ）２３１は、記録媒体３０とのインタフェースであって、記録媒体３０のインタフェース（Ｉ／Ｆ）３０２と接続する。インタフェース２３１は、例えば、ＰＣＭＣＩＡカード、ＣＦ（コンパクトフラッシュ（登録商標））カード、ＳＤカード、スマートメディア（登録商標）カード、メモリスティック（登録商標）カード等の基準に準拠したインタフェースで構成される。
【００４３】
記録媒体３０は、メモリカードやハードディスクなどを含み、各種データ（画像データや音声データなど）を記録する。記録媒体３０は、半導体メモリや磁気ディスクなどで構成される記録部３０１と、撮像装置１とのインタフェース３０２とを備えている。記録媒体３０と画像記録メモリ２１８とは、インタフェース３０２及び２３１を介して、記録されている画像データの移動やコピーが可能である。
【００４４】
ここで、図２を参照して、撮像装置１の各種設定について説明する。ユーザがＭＥＮＵボタン２０５ａを押すと、図２（ａ）に示すように、撮像装置１の各種設定を行うためのメニュー画面が表示部２２１に表示される。なお、図２（ａ）では、撮像条件設定タグ４０１が選択された状態のメニュー画面を示しており、通常は、前回設定を行ったときのタグが表示される。図２（ａ）に示すメニュー画面は、撮像条件設定タグ４０１の他に、再生設定タグ４０２と、機能１設定タグ４０３と、機能２設定タグ４０４とを含む。各設定タグへのカーソルの移動（即ち、設定タグの選択）は、電子ダイヤル２０３又は十字ボタン２０５ｉを用いて行うことが可能である。また、メニュー画面で設定された情報は、不揮発性メモリ２２４に記憶される。
【００４５】
撮像条件設定タグ４０１を選択すると、例えば、記録画質、ストロボ発光時に人物の目が赤くなることを緩和するための赤目緩和機能をＯＮにするかＯＦＦにするか、ＡＦモード、測光モードなどを設定することができる。但し、測光モードやＡＦモードは、十字ボタン２０５ｉの左ボタンに割り当てられた測光モード選択ボタン、右ボタンに割り当てられたＡＦモード選択ボタンを用いて設定することができる。
【００４６】
再生設定タグ４０２を選択すると、例えば、撮像した画像を再生する際の条件、再生する画像の回転、画像の消去、画像の印刷の指定などを設定することができる。また、機能１設定タグ４０３を選択すると、例えば、表示部２２１に表示される画像の明るさ、時刻、日付、ビデオ出力形式（ＮＴＳＣやＰＡＬなど）などを設定することができる。
【００４７】
機能２設定タグ４０４を選択すると、例えば、露出補正を１／３段ステップにするか１／２段ステップにするか、高感度撮像時にノイズの低減処理を施すかどうかなどを含むカスタムファンクション（Ｃ．Ｆｎ）を設定することができる。
【００４８】
図２（ｂ）は、機能２設定タグ４０４が選択された状態のメニュー画面を示しており、更に詳細には、複数の詳細設定項目４１１、４１２及び４１３のうちカスタムファンクション設定項目にカーソル４１４が位置している状態のメニュー画面を示している。この状態で十字ボタン２０５ｉのＳＥＴボタンを押すと、メニュー画面は、図２（ｃ）に示す状態に移行し、カスタムファンクションの設定が可能となる。
【００４９】
図２（ｃ）を参照するに、カスタムファンクション表示４２１において、カーソル４２６の下の数字がカスタムファンクションナンバーを、かかるカスタムファンクションナンバーの下の数字が設定値を表している。また、設定項目表示４２２には、カスタムファンクションナンバーに対応した項目が表示される。図２（ｃ）では、カスタムファンクションナンバー６（Ｃ．Ｆｎ６）に対応した項目として、「操作・その他  手振れ補正選択」が表示されている。また、設定内容表示４２３には、カスタムファンクションナンバーに対応した設定可能（選択可能）な内容が表示される。図２（ｃ）では、カスタムファンクションナンバー６（Ｃ．Ｆｎ６）に対応した設定可能な内容として、「０：撮像光学系側手振れ補正優先」、「１：カメラ本体部側手振れ補正優先」、「２：カメラ本体部側手振れ補正ＯＦＦ」が表示されている。ここで、「０：撮像光学系側手振れ補正優先」とは、撮像光学系１０の補正光学系１０２を駆動させて手振れを補正する第１の手振れ補正機能を優先して使用する設定である。但し、撮像光学系１０のスイッチ１０７がＯＦＦの場合には、補正光学系１０２を駆動させて手振れを補正する第１の手振れ補正機能は使用されず、撮像素子２１２を駆動させて手振れを補正する第２の手振れ補正機能が使用される。また、「１：カメラ本体部側手振れ補正優先」とは、撮像素子２１２を駆動させて手振れを補正する第２の手振れ補正機能を優先して使用する設定である。また、「２：カメラ本体部側手振れ補正ＯＦＦ」とは、撮像素子２１２を駆動させて手振れを補正する第２の手振れ補正機能の使用を禁止する設定である。従って、撮像光学系１０のスイッチ１０７がＯＦＦの場合には、補正光学系１０２を駆動させて手振れを補正する第１の手振れ補正機能及び撮像素子２１２を駆動させて手振れを補正する第２の手振れ補正機能のどちらも使用されない。「２：カメラ本体部側手振れ補正ＯＦＦ」は、例えば、三脚を使用する場合や動画像の撮像において手振れ補正の際に発生する駆動音が著しく気になる場合に設定される。
【００５０】
設定内容表示４２３において、カーソル４２７を設定したい内容（例えば、「１：カメラ本体部側手振れ補正優先」）に移動させてＳＥＴボタンを押すと、設定された内容の文字の色が変更される。なお、本実施形態では、カスタムファンクションはデフォルトで「０」に設定されており、「０」以外の設定がされた場合には、カスタムファンクション表示４２１におけるカスタムファンクションナンバーの設定値の色が変更される。
【００５１】
以下、撮像装置１の動作、即ち、被写体像の静止画像を記録する静止画像モード及び音声と共に被写体像の動画像を記録する動画像モードにおける動作について説明する。かかる動作は、システム制御部２２３が撮像装置１の各部を統括的に制御することで実現される。
＜第１の実施形態＞
図３を参照して、第１の実施形態における撮像装置１の動作を説明する。Ｓ１００２において、システム制御部２２３は、電源スイッチ２０１が操作されて電源がＯＮになったかどうかを確認する。電源がＯＮになっていなければ、Ｓ１００２を繰り返し、電源がＯＮになっていれば、Ｓ１００４に移行する。
【００５２】
Ｓ１００４において、撮像装置１が撮像光学系１０を着脱可能であるときは、システム制御部２２３は、カメラ本体部２０に撮像光学系１０が装着されたかどうかを確認する。なお、システム制御部２２３は、撮像光学系１０のレンズ制御部１０５からレンズ情報を受け取ることで、撮像光学系１０がカメラ本体部２０に装着されたことを検出することができる。撮像光学系１０が装着されていなければ、Ｓ１００４を繰り返し、撮像光学系１０が装着されていれば、Ｓ１００６に移行する。なお、撮像光学系１０が撮像装置１と一体となっているタイプの撮像装置では、本ステップは実行せずにＳ１００６へ進む。
【００５３】
Ｓ１００６において、システム制御部２２３は、レンズ制御部１０５からのレンズ情報に基づいて、カメラ本体部２０に装着された撮像光学系１０が手振れ補正機能（即ち、第１の手振れ補正機能）を有する撮像光学系であるかどうかを確認する。カメラ本体部２０に装着された撮像光学系１０が手振れ補正機能を有する撮像光学系でなければ、Ｓ１００８において、システム制御部２２３は、撮像処理を実行する。また、カメラ本体部２０に装着された撮像光学系１０が手振れ補正機能を有する撮像光学系であれば、Ｓ１０１０に移行する。なお、Ｓ１００８の撮像処理については、後で詳細に説明する。
【００５４】
Ｓ１０１０において、システム制御部２２３は、レンズ制御部１０５を介して、撮像光学系１０の補正光学系１０２を駆動させる。この際、システム制御部２２３は、補正光学系１０２を予め定めた量駆動させ、本実施形態では、補正光学系１０２の最大ストローク、即ち、最大量駆動させる。
【００５５】
Ｓ１０１２において、システム制御部２２３は、マイク２２６及び音声制御部２２７を介して、Ｓ１０１０で補正光学系１０２を駆動させたときの駆動音圧（第１の駆動音圧）を取得する。この際、第１の駆動音圧の取得中であることを、例えば、表示部２２１に表示してユーザに通知することが好ましい。また、Ｓ１０１４において、システム制御部２２３は、Ｓ１０１２で取得した第１の駆動音圧を不揮発性メモリ２２４に記憶させる。なお、本実施形態では、撮像素子２１２を予め定めた量（最大量）駆動させたときの駆動音圧（第２の駆動音圧）は、不揮発性メモリ２２４に予め記憶されている。但し、Ｓ１０１０乃至Ｓ１０１４と同様に、撮像素子２１２も駆動させて、第２の駆動音圧を取得して、不揮発性メモリ２２４に記憶させてもよい。なお、カメラ本体部２０に撮像光学系１０が予め装着されている場合には、撮像装置１の電源がＯＮになったとき（即ち、電源が供給されたとき）に第１の駆動音圧（及び第２の駆動音圧）を取得してもよい。
【００５６】
Ｓ１０１６において、システム制御部２２３は、被写体像の撮像が指示されたかどうかを判定する。具体的には、システム制御部２２３は、レリーズスイッチ２０４の第２のスイッチＳＷ２がＯＮになった場合、或いは、ＪＵＭＰボタン２０５ｃが押された場合に、被写体像の撮像が指示されたと判定する。被写体像の撮像が指示されていなければ、Ｓ１０１６を繰り返し、被写体像の撮像が指示されていれば、Ｓ１０１８に移行する。
【００５７】
Ｓ１０１８において、システム制御部２２３は、撮像モードを判別する。具体的には、Ｓ１０１６でレリーズスイッチ２０４の第２のスイッチＳＷ２がＯＮになった場合には、システム制御部２２３は、被写体像の静止画像を記録する静止画モードである（即ち、被写体像の静止画像の撮像が指示された）と判別する。一方、Ｓ１０１６でＪＵＭＰボタン２０５ｃが押された場合には、音声と共に被写体像の動画像を記録する動画像モードである（即ち、被写体像の動画像の撮像が指示された）と判別する。
【００５８】
なお、被写体像の動画像が実際に記録されるのは、ライブビューモードでＳＥＴボタンを押した場合であるが、ライブビューモードであっても、通常、手振れ補正は行われる。そこで、本実施形態では、システム制御部２２３は、ＪＵＭＰボタン２０５ｃが押された時点（ライブビューモードに移行した時点）で、被写体像の撮像が指示されたと判定し、動画像モードと判別している。また、ライブビューモードでレリーズスイッチ２０４の第２のスイッチＳＷ２がＯＮになった場合には、動画像の記録を一時中断して静止画像を記録する。本実施形態では、ライブビューモードにおいて静止画像を記録する際には、動画像モードで選択された手振れ補正機能をそのまま使用する。
【００５９】
Ｓ１０２０において、システム制御部２２３は、Ｓ１０１８で判別した撮像モードが静止画像モードであるかどうかを判定する。静止画像モードであると判定した場合には、Ｓ１０２２に移行し、静止画モードでない（即ち、動画像モードである）と判定した場合には、Ｓ１０２６に移行する。
【００６０】
Ｓ１０２２において、システム制御部２２３は、被写体像の静止画像を記録する際に使用する手振れ補正機能（即ち、補正光学系１０２を駆動させて手振れを補正するか、撮像素子２１２を駆動させて手振れを補正するか）の選択処理を実行する。そして、Ｓ１０２４において、システム制御部２２３は、Ｓ１０２２で選択した手振れ補正機能で手振れを補正しながら、被写体像の静止画像を記録して動作を終了する。但し、Ｓ１０２２の手振れ補正機能の選択処理によっては、第１の手振れ補正機能も第２の手振れ補正機能も選択されない場合もあるが、このような場合には、手振れを補正することなく、被写体像の静止画像を記録する。なお、Ｓ１０２２の手振れ補正機能の選択処理については、後で詳細に説明する。
【００６１】
Ｓ１０２６において、システム制御部２２３は、手振れ補正機能を使用する設定がされているかどうかを確認する。具体的には、システム制御部２２３は、撮像光学系１０のスイッチ１０７がＯＦＦであり、且つ、カスタムファンクションナンバー６において「２：カメラ本体部側手振れ補正ＯＦＦ」が設定されていないかどうかを確認する。
【００６２】
振れ補正機能を使用する設定がされていれば、Ｓ１０２８において、システム制御部２２３は、不揮発性メモリ２２４に記憶されている第１の駆動音圧と第２の駆動音圧とを比較する。そして、Ｓ１０３０において、システム制御部２２３は、Ｓ１０２８での比較の結果に基づいて、補正光学系１０２を駆動させて手振れを補正する第１の手振れ補正機能又は撮像素子２１２を駆動させて手振れを補正する第２の手振れ補正機能を選択する。具体的には、システム制御部２２３は、第１の手振れ補正機能及び第２の手振れ補正機能のうち駆動音圧が低い手振れ補正機能を選択する。なお、Ｓ１０３０では、撮像光学系１０のスイッチ１０７がＯＦＦの場合であっても、第１の駆動音圧が第２の駆動音圧よりも低ければ、システム制御部２２３は、第１の手振れ補正機能を選択する。また、撮像光学系１０のスイッチ１０７がＯＮであり、且つ、カスタムファンクションナンバー６において「２：カメラ本体部側手振れ補正ＯＦＦ」が設定されている場合を考える。この場合も同様に、第２の駆動音圧が第１の駆動音圧よりも低ければ、システム制御部２２３は、第２の手振れ補正機能を選択する。
【００６３】
Ｓ１０３２において、システム制御部２２３は、Ｓ１０３０で選択した手振れ補正機能で手振れを補正しながら、音声と共に被写体像の動画像を記録して動作を終了する。なお、被写体像の動画像は、ライブビューモードでのＳＥＴボタンの操作に応じて記録される。
【００６４】
一方、手振れ補正機能を使用する設定がされていなければ、Ｓ１０３４において、システム制御部２２３は、手振れを補正することなく、音声と共に被写体像の動画像を記録して動作を終了する。
【００６５】
図４を参照して、Ｓ１００８の撮像処理について説明する。Ｓ１１０２において、システム制御部２２３は、被写体像の撮像が指示されたかどうかを判定する。被写体像の撮像が指示されていなければ、Ｓ１１０２を繰り返し、被写体像の撮像が指示されていれば、Ｓ１１０４に移行する。
【００６６】
Ｓ１１０４において、システム制御部２２３は、手振れ補正に関するカスタムファンクションを確認する。具体的には、システム制御部２２３は、カスタムファンクションナンバー６に「０：撮像光学系側手振れ補正優先」、「１：カメラ本体部側手振れ補正優先」、「２：カメラ本体部側手振れ補正ＯＦＦ」のうちどれが設定されているかを確認する。
【００６７】
カスタムファンクションナンバー６に「２：カメラ本体部側手振れ補正ＯＦＦ」が設定されている場合には、システム制御部２２３は、手振れを補正することなく、Ｓ１１１０において、被写体像の静止画像又は音声と共に被写体像の動画を記録して処理を終了する。
【００６８】
カスタムファンクションナンバー６に「１：カメラ本体部側手振れ補正優先」が設定されている場合には、Ｓ１１０６において、システム制御部２２３は、撮像素子２１２を駆動させて手振れを補正する第２の手振れ補正機能を選択する。そして、システム制御部２２３は、Ｓ１１０６で選択した第２の手振れ補正機能で手振れを補正しながら、Ｓ１１１０において、被写体像の静止画像又は音声と共に被写体像の動画を記録して処理を終了する。
【００６９】
カスタムファンクションナンバー６に「０：撮像光学系側手振れ補正優先」が設定されている場合には、撮像光学系が手振れ補正機能を有していないため、システム制御部２２３は、Ｓ１１０８において、第２の手振れ補正機能を選択する。そして、システム制御部２２３は、Ｓ１１０８で選択した第２の手振れ補正機能で手振れを補正しながら、Ｓ１１１０において、被写体像の静止画像又は音声と共に被写体像の動画を記録して処理を終了する。
【００７０】
図５を参照して、Ｓ１０２２の手振れ補正機能の選択処理について説明する。Ｓ１２０２において、システム制御部２２３は、撮像光学系１０の手振れ補正機能がＯＮになっているかどうかを確認する。具体的には、システム制御部２２３は、撮像光学系１０のスイッチ１０７がＯＮになっているかどうかを確認する。
【００７１】
撮像光学系１０の手振れ補正機能がＯＮになっていなければ、システム制御部２２３は、手振れ補正に関するカスタムファンクションを確認する。具体的には、システム制御部２２３は、カスタムファンクションナンバー６に「０：撮像光学系側手振れ補正優先」、「１：カメラ本体部側手振れ補正優先」、「２：カメラ本体部側手振れ補正ＯＦＦ」のうちどれが設定されているかを確認する。
【００７２】
カスタムファンクションナンバー６に「２：カメラ本体部側手振れ補正ＯＦＦ」が設定されている場合には、システム制御部２２３は、第１の手振れ補正機能も第２の手振れ補正手段も選択することなく処理を終了する。
【００７３】
カスタムファンクションナンバー６に「１：カメラ本体部側手振れ補正優先」が設定されている場合には、Ｓ１２０６において、システム制御部２２３は、撮像素子２１２を駆動させて手振れを補正する第２の手振れ補正機能を選択して処理を終了する。
【００７４】
カスタムファンクションナンバー６に「０：撮像光学系側手振れ補正優先」が設定されている場合には、撮像光学系１０の手振れ補正機能がＯＮになっていないため、システム制御部２２３は、Ｓ１２０８において、第２の手振れ補正機能を選択して処理を終了する。
【００７５】
撮像光学系１０の手振れ補正機能がＯＮになっていれば、Ｓ１２１０において、システム制御部２２３は、Ｓ１２０４と同様に、手振れ補正に関するカスタムファンクションを確認する。
【００７６】
カスタムファンクションナンバー６に「２：カメラ本体部側手振れ補正ＯＦＦ」が設定されている場合には、Ｓ１２１２において、システム制御部２２３は、補正光学系１０２を駆動させて手振れを補正する第１の手振れ補正機能を選択して処理を終了する。
【００７７】
カスタムファンクションナンバー６に「１：カメラ本体部側手振れ補正優先」が設定されている場合には、Ｓ１２１４において、システム制御部２２３は、第２の手振れ補正機能を選択して処理を終了する。
【００７８】
カスタムファンクションナンバー６に「０：撮像光学系側手振れ補正優先」が設定されている場合には、Ｓ１２１６において、システム制御部２２３は、第１の手振れ補正機能を選択して処理を終了する。
【００７９】
このように、第１の実施形態によれば、補正光学系１０２を駆動させたときの駆動音圧と撮像素子２１２を駆動させたときの駆動音圧とを比較し、駆動音圧の低い手振れ補正機能により手振れを補正する。従って、撮像装置１は、音声と共に動画像を記録する場合であっても、手振れ補正の際に発生する駆動音による音質の低下を低減することができる。
＜第２の実施形態＞
撮像装置１は、上述したように、補正光学系１０２を駆動させて手振れを補正する第１の手振れ補正機能及び撮像素子２１２を駆動させて手振れを補正する第２の手振れ補正機能に加えて、画像処理部２１５における電子的手振れ補正機能も使用可能である。なお、以下では、電子的手振れ補正機能に対して、第１の手振れ補正機能及び第２の手振れ補正機能を「光学的手振れ補正機能」と総称する。
【００８０】
まず、図６を参照して、電子的手振れ補正機能及び光学的手振れ補正機能を使用可能な場合において、被写体像の動画像を記録する際の音声に関する設定について説明する。ユーザがＭＥＮＵボタン２０５ａを押して機能２設定タグを選択し、カスタムファンクション設定項目にカーソルが位置している状態で十字ボタン２０５ｉのＳＥＴボタンを押すと、図６に示すメニュー画面が表示部２２１に表示される。図６に示すメニュー画面において、被写体像の動画像を記録する際の音声に関する設定が可能となる。
【００８１】
図６を参照するに、カスタムファンクション表示６２１において、カーソル６２６の下の数字がカスタムファンクションナンバーを、かかるカスタムファンクションナンバーの下の数字が設定値を表している。また、設定項目表示６２２には、カスタムファンクションナンバーに対応した項目が表示される。図６では、カスタムファンクションナンバー８（Ｃ．Ｆｎ８）に対応した項目として、「動画・音声  動画記録時の音声の選択」が表示されている。また、設定内容表示６２３には、カスタムファンクションナンバーに対応した設定可能（選択可能）な内容が表示される。図６では、カスタムファンクションナンバー８（Ｃ．Ｆｎ８）に対応した設定可能な内容として、「０：記録する（画質優先）」、「１：記録する（音質優先）」、「２：記録しない」が表示されている。ここで、「０：記録する（画質優先）」とは、動画像を記録する際に画質を優先して音声を記録する設定である。従って、電子的手振れ補正機能よりも手振れ補正に優れた光学的手振れ補正機能を優先して使用する設定である。また、「１：記録する（音質優先）」とは、動画像を記録する際に音質を優先して音声を記録する設定である。従って、駆動音を発生する光学的手振れ補正機能よりも駆動音を発生しない電子的手振れ補正機能を優先して使用する設定である。また、「２：記録しない」とは、動画像を記録する際に音声を記録しない設定である。
【００８２】
設定内容表示６２３において、カーソル６２７を設定したい内容（例えば、「１：記録する（音質優先）」）に移動させてＳＥＴボタンを押すと、設定された内容の文字の色が変更される。
【００８３】
次に、図７を参照して、第２の実施形態における撮像装置１の動作を説明する。図７に示すＳ２００２乃至Ｓ２００６は、第１の実施形態で説明したＳ１０１６乃至Ｓ１０２０と同じであるため、ここでの詳細な説明は省略する。なお、Ｓ２００６において、静止画像モードであると判定した場合には、Ｓ２００８に移行し、静止画モードでない（即ち、動画像モードである）と判定した場合には、Ｓ２０１２に移行する。
【００８４】
Ｓ２００８において、システム制御部２２３は、被写体像の静止画像を記録する際に使用する手振れ補正機能（即ち、光学的手振れ補正機能により手振れを補正するか、電子的手振れ補正機能により手振れを補正するか）の選択処理を実行する。そして、Ｓ２０１０において、システム制御部２２３は、Ｓ２００８で選択した手振れ補正機能で手振れを補正しながら、被写体像の静止画像を記録して動作を終了する。但し、Ｓ２００８の手振れ補正機能の選択処理によっては、光学的手振れ補正機能も光学的手振れ補正機能も選択されない場合もあるが、このような場合には、手振れを補正することなく、被写体像の静止画像を記録する。なお、Ｓ２００８の手振れ補正機能の選択処理については、後で詳細に説明する。
【００８５】
Ｓ２０１２において、システム制御部２２３は、被写体像の動画像を記録する際の音声に関する設定として、音質を優先する設定がされているかどうかを確認する。具体的には、システム制御部２２３は、カスタムファンクションナンバー８において、「１：記録する（音質優先）」が設定されているかどうかを確認する。
【００８６】
音質を優先する設定がされていれば、Ｓ２０１４において、システム制御部２２３は、電子的手振れ補正機能を選択する（即ち、画像処理部２１５において撮像素子２１２で生成された画像信号を電気的に処理して手振れを補正する）。このように、音質を優先する設定がされている場合には、システム制御部２２３は、光学的手振れ補正機能の使用を許可していても電子的手振れ補正機能を必ず選択する。そして、システム制御部２２３は、電子的手振れ補正機能で手振れを補正しながら、Ｓ２０１８において、音声と共に被写体像の動画像を記録して動作を終了する。
【００８７】
一方、音質を優先する設定がされていなければ、Ｓ２０１６において、システム制御部２２３は、Ｓ２００８と同様に、被写体像の動画像を記録する際に使用する手振れ補正機能の選択処理を実行する。そして、システム制御部２２３は、Ｓ２０１６で選択した手振れ補正機能で手振れを補正しながら、Ｓ２０１８において、被写体像の動画像を記録して動作を終了する。この際、カスタムファンクションナンバー８において、「０：記録する（画質優先）」が設定されている場合には、被写体像の動画像と共に音声も記録するが、「２：記録しない」が設定されている場合には、音声は記録せずに被写体像の動画像のみを記録する。また、Ｓ２０１６の手振れ補正機能の選択処理によっては、光学的手振れ補正機能も電子的手振れ補正機能も選択されない場合もあるが、このような場合には、手振れを補正することなく、被写体像の動画像を記録する。
【００８８】
図８を参照して、Ｓ２００８及びＳ２０１６の手振れ補正機能の選択処理について説明する。Ｓ２１０２において、システム制御部２２３は、光学的手振れ補正機能を使用する設定がされているかどうかを確認する。例えば、システム制御部２２３は、撮像光学系１０のスイッチ１０７がＯＮであるか、或いは、カスタムファンクションナンバー６において「０：撮像光学系側手振れ補正優先」又は「１：カメラ本体部側手振れ補正優先」が設定されているかどうかを確認する。
【００８９】
光学的手振れ補正機能を使用する設定がされていれば、Ｓ２１０４において、システム制御部２２３は、光学的手振れ補正機能を選択して処理を終了する。
【００９０】
光学的手振れ補正機能を使用する設定がされていなければ、Ｓ２１０６において、システム制御部２２３は、電子的手振れ補正機能を使用する設定がされているかどうかを確認する。例えば、システム制御部２２３は、カスタムファンクションにおいて、「電子的手振れ補正機能ＯＮ」が設定されているかどうかを確認する。
【００９１】
電子的手振れ補正機能を使用する設定がされていなければ、システム制御部２２３は、光学的手振れ補正機能も電子的手振れ補正機能も選択することなく処理を終了する。
【００９２】
電子的手振れ補正機能を使用する設定がされていれば、Ｓ２１０８において、システム制御部２２３は、電子的手振れ補正機能を選択して処理を終了する。
【００９３】
このように、第２の実施形態によれば、動画像を記録する際に音質を優先して音声を記録する設定がされている場合には、駆動音を発生しない電子的手振れ補正機能により手振れを補正する。従って、撮像装置１は、音声と共に動画像を記録する場合であっても、手振れ補正の際に発生する駆動音による音質の低下を低減することができる。
【００９４】
なお、本実施形態では、撮像モードが動画像モードである場合に、被写体像の動画像を記録する際の音声に関する設定として、音質を優先する設定がされているかどうかを確認している（Ｓ２０１２）。但し、図９に示すように、撮像モードが動画像モードである場合には、被写体像の動画像を記録する際の音声に関する設定を確認することなく（即ち、Ｓ２０１２を省略して）、電子的手振れ補正機能を選択するようにしても同様の効果を得ることができる。
【００９５】
以上、本発明の好ましい実施形態について説明したが、本発明はこれらの実施形態に限定されないことはいうまでもなく、その要旨の範囲内で種々の変形及び変更が可能である。
【図１】
2010288082.tif 000003
【図２】
2010288082.tif 000004
【図３】
2010288082.tif 000005
【図４】
2010288082.tif 000006
【図５】
2010288082.tif 000007
【図６】
2010288082.tif 000008
【図７】
2010288082.tif 000009
【図８】
2010288082.tif 000010
【図９】
2010288082.tif 000011